(57)【要約】      （修正有）【課題】タクシー用の車載機器において、筐体を分解した場合のデータの盗難を防止する。【解決手段】複数の部材４ａ・４ｂにより構成される分解可能な筐体４と、取引データを印字するプリンタと、このプリンタに給紙する記録紙を収納するための開口を有する記録紙収納部７と、この記録紙収納部７の開口を開閉自在に覆うカバー８と、各種ケーブル２１を着脱自在に固定する固定部と、筐体４が分解されたことを検出する複数の検出部２４と、筐体４を車内の任意位置に取り付けるための取付部と、を具備する車載機器。従って、取引データを印字する車載機器において、筐体４を分解した場合、複数の検出部２４により筐体分解を検出してデータの保護などが図れるため、データの盗難を防止できる。【選択図】図８
0003116660.tif 000002
【実用新案登録請求の範囲】
【請求項１】
複数の部材により構成される分解可能な筐体と、
取引データを印字するプリンタと、
このプリンタに給紙する記録紙を収納するための開口を有する記録紙収納部と、
この記録紙収納部の開口を開閉自在に覆うカバーと、
各種ケーブルを着脱自在に固定する固定部と、
前記筐体が分解されたことを検出する複数の検出部と、
前記筐体を車内の任意位置に取り付けるための取付部と、
を具備することを特徴とする車載機器。
【請求項２】
前記カバーの少なくとも一部に、記録紙残量を確認できる透明部を設けたことを特徴とする請求項１に記載の車載機器。
【請求項３】
前記カバーを釦操作により連動して開放動作させる回動部材を設けたことを特徴とする請求項１または２に記載の車載機器。
【請求項４】
前記ケーブルには、前記固定部に係止される凸部を有し、この凸部により前記固定部に対し位置決めして保持される部材を取り付けたことを特徴とする請求項１から３のいずれか一項に記載の車載機器。
【考案の詳細な説明】
【技術分野】
【０００１】
本考案は、タクシー用の車載機器に関する。
【背景技術】
【０００２】
タクシー用の車載機器として、ＩＣカード、メモリカード、磁気カード等のデータを読み取るカードリーダーや、バーコードのデータを読み込むバーコードリーダー等を備える読取り装置がある（例えば特開平５−２０５０６号公報等参照）。
このような車載読取り装置により、タクシードライバーは、売上情報を保存して、その保存された売上情報を帰社時にコンピュータに出力する。
【考案の開示】
【考案が解決しようとする課題】
【０００３】
しかし、従来の車載読取り装置は、その筐体を分解して内部のデータが盗み出されるという問題があった。
【０００４】
本考案の課題は、タクシー用の車載機器において、筐体を分解した場合のデータの盗難を防止することである。
【課題を解決するための手段】
【０００５】
以上の課題を解決するため、請求項１に記載の考案は、例えば図１から図９に示すように、複数の部材４ａ・４ｂにより構成される分解可能な筐体４と、取引データを印字するプリンタと、このプリンタに給紙する記録紙を収納するための開口を有する記録紙収納部７と、この記録紙収納部７の開口を開閉自在に覆うカバー８と、各種ケーブル２１を着脱自在に固定する固定部１４と、前記筐体４が分解されたことを検出する複数の検出部２４と、前記筐体４を車内の任意位置に取り付けるための取付部１１と、を具備する車載機器３を特徴とする。
【０００６】
請求項１に記載の考案によれば、取引データを印字する車載機器３において、筐体４を分解した場合、複数の検出部２４により筐体分解を検出してデータの保護などが図れるため、データの盗難を防止できる。また、プリンタの記録紙の交換は、カバー８を開放するだけで簡単に行える。しかも、記録紙交換時は筐体４の分解とはみなさないため、データの読み取りなどに影響を与えることはない。
【０００７】
請求項２に記載の考案は、請求項１に記載の車載機器３であって、例えば図１に示すように、前記カバー８の少なくとも一部に、記録紙残量を確認できる透明部８ａを設けたことを特徴とする。
【０００８】
請求項２に記載の考案によれば、カバー８の透明部８ａから記録紙残量を確認できる。
【０００９】
請求項３に記載の考案は、請求項１または２に記載の車載機器３であって、例えば図１０に示すように、前記カバー８を釦２６操作により連動して開放動作させる回動部材２７を設けたことを特徴とする。
【００１０】
請求項３に記載の考案によれば、釦２６操作に連動する回動部材２７によりカバー８を開放できる。
【００１１】
請求項４に記載の考案は、請求項１から３のいずれか一項に記載の車載機器３であって、例えば図３から図７に示すように、前記ケーブル２１には、前記固定部１４に係止される凸部２３を有し、この凸部２３により前記固定部１４に対し位置決めして保持される部材２２を取り付けたことを特徴とする。
【００１２】
請求項４に記載の考案によれば、ケーブル２１を部材２２の凸部２３により固定部１４に対し位置決めして保持できる。
【考案の効果】
【００１３】
本考案によれば、取引データを印字する車載機器において、特に、複数の検出部により筐体の分解を検出してデータの保護などが図れるため、データの盗難を防止できるといった利点が得られる。
【考案を実施するための最良の形態】
【００１４】
以下、図を参照して本考案を実施するための最良の形態を詳細に説明する。
本考案を適用した車載機器の一実施形態の構成を示す図１において、１は入力装置、２はケーブル、３はプリンタ装置である。
入力装置１は、ケーブル２を介してプリンタ装置３とデータ転送可能に接続された筐体１ａが、その上面に備えられた取付金具１ｂにフックＦを通すことで、車内の任意位置に取り付けられている。筐体１ａには、キーボード１ｃ、表示部１ｄ及び磁気カードリーダー１ｅ等が設けられている。
【００１５】
プリンタ装置３は、取引データを印字するプリンタ（図略）を内蔵した筐体４が、その背面側で車内の任意位置に取り付けられている。筐体４は、下ケース部材４ａ及び上ケース部材４ｂをビス止めにより合体したものである。メモリカード収納部５及びその開閉カバー６、記録紙収納部７及びその開閉カバー８、記録紙排出部９等が設けられている。
すなわち、下ケース部材４ａの上部内にメモリカード収納部５が形成されて、その上方への開口部に開閉カバー６が取り付けられている。また、上ケース部材４ｂの上部に記録紙収納部７が形成されて、その前方への開口部に開閉カバー８が取り付けられるとともに、この開閉カバー８で覆われた下端部に沿って記録紙排出部９が形成されている。なお、開閉カバー８は、記録紙残量を確認できる透明部８ａを有している。
【００１６】
図２及び図３はプリンタ装置３を背面側から見たもので、筐体４の下ケース部材４ａの背面には、上部に取付金具（取付部）１１が固定されて、下部に開口部１２が形成されている。開口部１２には、回路基板１３が露出するとともに、開口部１２を開閉するケーブル固定部材（固定部）１４がビス止めされている。
ケーブル固定部材１４は、図４にも示すように、ケーブル８本まで対応可能なもので、図５に示すように、内側面に８個並びの角穴１５を有している。
さらに、ケーブル固定部材１４の内側面には、ケーブル４本まで対応可能な固定金具１６が２枚並びでビス止めされている。この固定金具１６には、４個並びの角穴１７が形成されている。この角穴１７は、ケーブル固定部材１４の角穴１５に対向配置されている。
【００１７】
そして、ケーブル固定部材１４と固定金具１６の間には、当初は８個横並びに一体化された樹脂キャップ１８が介装されている。樹脂キャップ１８には、ケーブル固定部材１４の角穴１５と固定金具１６の角穴１７に挿入される一対の係止爪（凸部）１９が一体形成されている。任意の樹脂キャップ１８を切り離してケーブル２１が固定される。
ケーブル２１の端部外周には、図６及び図７に示すように、円筒状のカシメ金具（保持部材）２２がカシメ固定されている。カシメ金具２２には、ケーブル固定部材１４の角穴１５と固定金具１６の角穴１７に挿入される一対の係止爪（凸部）２３が一体形成されている。
【００１８】
ここで、前記入力装置１と接続するケーブル２、電源用や他の機器との接続用ケーブルなどを含むケーブル２１は、筐体４の下ケース部材４ａの開口部１２において、回路基板１３上にコネクタ接続される。
そして、ケーブル２１の端部外周に固定したカシメ金具２２の一方の係止爪２３をケーブル固定部材１４の角穴１５に挿入して、他方の係止爪２３を固定金具１６の角穴１７に挿入してから、ケーブル固定部材１４に固定金具１６をビス止めする。その後、ケーブル固定部材１４を筐体４の下ケース部材４ａの開口部１２にビス止めする。
【００１９】
図８はプリンタ装置３の筐体４（下ケース部材４ａ及び上ケース部材４ｂ）の分解状態を示したもので、図中、２４は筐体分解検出スイッチ（検出部）、２５は板バネである。
すなわち、下ケース部材４ａ内の左右に位置する筐体分解検出スイッチ２４を設置する。
また、上ケース部材４ｂ内の左右には、下ケース部材４ａとの合体状態において、図９に示すように、筐体分解検出スイッチ２４をそれぞれ押すステンレスの板バネ２５を設置する。
【００２０】
以上において、回路基板１３は、左右の筐体分解検出スイッチ２４のいずれかが筐体４を構成する下ケース部材４ａ及び上ケース部材４ｂの分解状態を検出すると、メモリカードデータ読取部により読み取ってメモリに格納されたデータを除去する回路構成となっている。
これにより、下ケース部材４ａと上ケース部材４ｂがどの方向から開けられても、左右の筐体分解検出スイッチ２４のいずれかが作動して、筐体４の分解状態が検出されると、メモリカードデータ読取部により読み取ってメモリに格納されたデータが除去される。従って、データの盗難を防止できる。
【００２１】
図１０は記録紙収納部７の開閉カバー８の開放機構を示したもので、図中、２６は釦、２７は回動部材である。
すなわち、筐体４の上ケース部材４ｂには、図１に示すように、上部の記録紙収納部７の開閉カバー８を開放動作させるための釦２６が下部に組み付けられている。そして、上ケース部材４ｂの内部には、図１０に示すように、釦２６から開閉カバー８に渡って位置する回動部材２７が組み込まれている。回動部材２７は、釦２６が押されると、釦２６に一端側が押されて回動し、他端側が開閉カバー８の内面に設けた凸部２８を押し上げて、開閉カバー８を開放動作させるようになっている。
【００２２】
なお、以上の実施形態の他、筐体の形状・構造やその部品点数、検出部の構成や設置位置並びに個数等も任意であり、その他の具体的な細部構造等についても適宜に変更可能であることは勿論である。
さらに、記録媒体を読み取るリーダーをプリンタ装置に一体的に設けてもよい。
【図面の簡単な説明】
【００２３】
【図１】本考案を適用した車載機器の一実施形態の構成を示すもので、車内に装備した状態を示した斜視図である。
【図２】図１のプリンタ装置を背面側から見た斜視図である。
【図３】図２のケーブル固定部を起こした状態を示す斜視図である。
【図４】ケーブル固定部を単品で示した斜視図である。
【図５】図４のケーブル固定部の分解斜視図である。
【図６】図５のケーブル端部の側面図である。
【図７】図３のケーブル固定部から固定金具を外した状態を示した拡大図である。
【図８】プリンタ装置の筐体分解状態を示した斜視図である。
【図９】図８の検出部のスイッチＯＮ状態を示した拡大図である。
【図１０】図１のプリンタ装置のカバー開放機構を示した斜視図である。
【符号の説明】
【００２４】
１  入力装置
２  ケーブル
３  プリンタ装置
４  筐体
４ａ・４ｂ  ケース部材
５  メモリカード収納部
６  カバー
７  記録紙収納部
８  カバー
８ａ  透明部
９  記録紙排出部
１１  取付部
１２  開口部
１３  回路基板
１４  ケーブル固定部
１５  角穴
１６  固定金具
１７  角穴
１８  キャップ
１９  凸部
２１  ケーブル
２２  保持部材
２３  凸部
２４  筐体分解検出スイッチ（検出部）
２５  板バネ
２６  釦
２７  回動部材
２８  凸部
【図１】
0003116660.tif 000003
【図２】
0003116660.tif 000004
【図３】
0003116660.tif 000005
【図４】
0003116660.tif 000006
【図５】
0003116660.tif 000007
【図６】
0003116660.tif 000008
【図７】
0003116660.tif 000009
【図８】
0003116660.tif 000010
【図９】
0003116660.tif 000011
【図１０】
0003116660.tif 000012